(57)【特許請求の範囲】
【請求項１】
所定間隔をもって離間対向する前面壁および背面壁と左右一対の側面壁とからなり、その上端が開口した箱状形体をもつ盤本体と、該盤本体の上端開口を覆蓋するようにその上方側から取付けられる屋根体とを有し、上記屋根体は、上記盤本体の上記前面壁側から背面壁側に向けて上昇傾斜し、かつその後端部が上記背面壁からさらに後方側へ延出する天井壁を備えている一方、上記盤本体の背面壁の上端部にはその端縁に開口して該背面壁の幅方向へ延びる凹状切欠が設けられた屋外盤の換気構造であって、上記背面壁の上記凹状切欠の縁部近傍には、上記凹状切欠から上記盤本体内への雨水の侵入を阻止する雨水侵入阻止材が、上記凹状切欠の延設方向に沿って設けられているとともに、該雨水侵入阻止材は、上記凹状切欠の縁部近傍から上昇傾斜状に延出する第１阻止部と該第１阻止部の下側に位置して上記背面壁から後方へ延出する第２阻止部とを備えてなることを特徴とする屋外盤の換気構造。
【請求項２】
請求項１記載の屋外盤の換気構造において、
上記第２阻止部は、上記背面壁から下降傾斜状に延出していることを特徴とする屋外盤の換気構造。
【請求項３】
請求項１記載の屋外盤の換気構造において、
上記第２阻止部は、上記前面壁の幅方向において傾斜していることを特徴とする屋外盤の換気構造。
【発明の詳細な説明】
【技術分野】
【０００１】
本願発明は、屋外に配置され、雨水対策が必要とされる屋外盤における換気構造に関するものである。
【背景技術】
【０００２】
屋外に設置される制御盤等の屋外盤においては、盤内に収納された電気部品に対する熱害を防止してその作動上の信頼性を確保する等の観点から、該電気部品からの発熱とか盤外からの吸熱によって昇温した盤内空気（熱気）を盤外へ排出させるとともに、盤内に外部から新気を導入することで、盤内の換気を行なうことが必要とされる。また、これと同時に、盤内への雨水の侵入を阻止するための雨水侵入阻止対策を講じることも必要である。
【０００３】
このような観点から、雨水進入阻止対策を講じた屋外盤の換気構造が種々提案されている（特許文献１〜３  参照）。
【０００４】
【特許文献１】特開昭６３−３６０３号公報
【特許文献２】実開昭６０−１８６０９号公報
【特許文献３】実開昭６２−５４５０４号公報
【発明の開示】
【発明が解決しようとする課題】
【０００５】
特許文献１に示されるものは、屋外型キュービクルの内部に換気用ファンを配置する一方、該キュービクルの上部側面壁に自重型羽根格子を設けた連通口を形成するとともに、該連通口をキュービクル外側から覆うように屋根材を設け、この屋根材の下端に下方へ向けて排気口を開口させたものである。
【０００６】
しかし、このものでは、換気手段として換気ファンを備え、しかも、雨水対策についての構造が大形且つ複雑であり、これらの結果、コストアップを招来するという問題がある。
【０００７】
特許文献２のものは、自然対流による換気方式を採用したため、ある程度の低コスト化は図れるものの、排気口が水平方向に延出する板材でなる天井面より下方に設けられているため、該排気口より上側部分には熱気が滞留し、換気性が十分とは言い難いものである。
【０００８】
また、箱本体の内部側に通気用ダクトを設け、箱本体の側面壁に設けた通気口から内部へ侵入する雨水を上記通気用ダクトで遮断する、即ち、通気口から内部へ雨水が侵入することを前提とした構成であり、感電火災等の発生の可能性を考慮すれば好ましい構成とは言い難いものである。
【０００９】
特許文献３のものは、自然対流による換気方式を採用したもので、天井面を傾斜延出する板材で構成し該天井面によって熱気の滞留を促進させることはできるものの、排気口が上記天井面より下方に設けられているため、該排気口より上側部分には熱気が滞留し、換気性が十分とは言い難いものである。
【００１０】
また、この通気口の外面側に、これを覆うようにして多数の小孔をもつ箱体を配置し、上記通気口から流出する熱気を上記箱体の多数の小孔を介して外気へ放出するようにしているが、雨水侵入阻止対策は上記小孔の径を小さくすることで実現できるが、係る構成は、その一方で熱気の放出性を阻害する要因となり、換気性と雨水侵入阻止対策の両立という面においては問題の残るものであった。
【００１１】
そこで、本願発明は、高い換気性能と雨水侵入阻止性能を併せもつ換気構造を、簡単且つ安価な構成によって実現することを目的としてなされたものである。
【課題を解決するための手段】
【００１２】
本願発明では、かかる課題を解決するための具体的手段として、次のような構成を採用している。
【００１３】
本願第１の発明では、所定間隔をもって離間対向する前面壁および背面壁と左右一対の側面壁とからなり、その上端が開口した箱状形体をもつ盤本体と、該盤本体の上端開口を覆蓋するようにその上方側から取付けられる屋根体とを有し、上記屋根体は、上記盤本体の上記前面壁側から背面壁側に向けて上昇傾斜し、かつその後端部が上記背面壁からさらに後方側へ延出する天井壁を備えている一方、上記盤本体の背面壁の上端部にはその端縁に開口して該背面壁の幅方向へ延びる凹状切欠が設けられた屋外盤の換気構造において、上記背面壁の上記凹状切欠の縁部近傍には、上記凹状切欠から上記盤本体内への雨水の侵入を阻止する雨水侵入阻止材が、上記凹状切欠の延設方向に沿って設けられているとともに、該雨水侵入阻止材は、上記凹状切欠の縁部近傍から上昇傾斜状に延出する第１阻止部と該第１阻止部の下側に位置して上記背面壁から後方へ延出する第２阻止部とを備えてなることを特徴としている。
【００１４】
本願の第２の発明では、上記第１の発明に係る屋外盤の換気構造において、上記第２阻止部が、上記背面壁から下降傾斜状に延出していることを特徴としている。
【００１５】
本願の第３の発明では、上記第１の発明に係る屋外盤の換気構造において、上記第２阻止部が、上記前面壁の幅方向において傾斜していることを特徴としている。
【発明の効果】
【００１６】
本願発明では、次のような効果が得られる。
【００１７】
（ａ）すなわち、本願第１の発明に係る屋外盤の換気構造は、上述のように、所定間隔をもって離間対向する前面壁および背面壁と左右一対の側面壁とからなり、その上端が開口した箱状形体をもつ盤本体と、該盤本体の上端開口を覆蓋するようにその上方側から取付けられる屋根体とを有し、上記屋根体は、上記盤本体の上記前面壁側から背面壁側に向けて上昇傾斜し、かつその後端部が上記背面壁からさらに後方側へ延出する天井壁を備えている一方、上記盤本体の背面壁の上端部にはその端縁に開口して該背面壁の幅方向へ延びる凹状切欠が設けられた屋外盤の換気構造において、上記背面壁の上記凹状切欠の縁部近傍には、上記凹状切欠から上記盤本体内への雨水の侵入を阻止する雨水侵入阻止材が、上記凹状切欠の延設方向に沿って設けられているとともに、該雨水侵入阻止材は、上記凹状切欠の縁部近傍から上昇傾斜状に延出する第１阻止部と該第１阻止部の下側に位置して上記背面壁から後方へ延出する第２阻止部とを備えて構成されている。
【００１８】
したがって、本願第１の発明の場合、上記屋根体の天井壁の内面は、上記凹状切欠を通して、上記盤本体の内部側から上記背面壁の外方側まで、上昇傾斜状態で連続することになる。
【００１９】
この結果、盤内の電気部品からの発熱とか盤外からの吸熱によって昇温した熱気は、自然対流によって上記屋根体の天井壁の内面側へ上昇したのち、上昇傾斜する該天井壁の内面に沿って、上記凹状切欠部分から、さらに高位側、即ち、上記背面壁の語方側へスムーズに移動して外部へ放出されることとなり、上記凹状切欠を設けるという簡単且つ安価な構成でありながら、屋外盤の高い換気性を確保することができる。
【００２０】
また、上記屋根体の天井壁は、上記背面壁に設けられた上記凹状切欠よりも、さらに後方側へ延出していることから、上記凹状切欠からの雨水の侵入が効果的に阻止され、高い雨水侵入阻止効果が得られる。
【００２１】
これら両者の相乗効果として、高い換気性能と雨水侵入阻止性能を併せ持つ屋外盤の換気構造をより安価に得ることができる。
【００２２】
また、同構成では、上記背面壁の上記凹状切欠の縁部近傍に、上記凹状切欠から上記盤本体内への雨水の侵入を阻止する雨水侵入阻止材を、上記凹状切欠の延設方向に沿って設けているので、該雨水侵入阻止材による盤内への雨水の侵入阻止機能が上記凹状切欠の全域で有効に働き、より高い雨水侵入阻止性能をもつ屋外盤の換気構造が実現される。
【００２３】
また、該雨水侵入阻止材が保有する剛性によって、上記凹状切欠を設けたことに起因する上記背面壁の強度低下が補填され、該凹状切欠が設けられた構成であるにも拘らず、該背面壁は高い強度性能をもつこととなり、延いては屋外盤全体の剛性及び信頼性が確保される。
【００２４】
しかも、本願第１の発明の構成の場合、上記雨水侵入阻止材は、上記凹状切欠の縁部近傍から上昇傾斜状に延出する第１阻止部と、該第１阻止部の下側に位置して上記背面壁から後方へ延出する第２阻止部との２つの阻止部を備えて構成されており、上記第１阻止部を上記凹状切欠の縁部の直下位置において、そこから斜め上方へ延出するように配置したことで、上記凹状切欠部分は、斜め下方から上記空隙部を通して臨むことができないようになっている。
【００２５】
このため、例えば、強風で雨水が下方から巻き上げられるようにして、直接上記空隙部側に侵入しても、この雨水は上記雨水侵入阻止材の第１阻止部に衝突して上記凹状切欠側への侵入が確実に阻止され、そのまま上記第１阻止部から下方へ流下する。
【００２６】
そして、この第１阻止部側から流下した雨水は、上記第２阻止部側に移動し、該第２阻止部から外方にスムーズに排出されるので、特に水捌け性が良好となる。
【００２７】
（ｂ）本願の第２の発明では、上記（ａ）に記載の効果に加えて、さらに以下のような特有の効果が得られる。
【００２８】
即ち、この発明では、上記第２阻止部を、上記前面壁から下降傾斜状に延出させているので、該第２阻止部における水捌け性が向上し、延いては盤内への雨水の侵入阻止効果がより一層確実となる。
【００２９】
（ｃ）本願の第３の発明では、上記（ａ）に記載の効果に加えて、さらに以下のような特有の効果が得られる。
【００３０】
即ち、この発明では、上記第２阻止部を、上記背面壁の幅方向において傾斜させているので、該第２阻止部における水捌け性が向上し、延いては盤内への雨水の侵入阻止効果がより一層確実となる。
【発明を実施するための最良の形態】
【００３１】
以下、本願発明を好適な実施形態に基づいて具体的に説明する。
【００３２】
図１及び図２には、本願発明の実施形態に係る換気構造が適用された屋外盤を示している。この屋外盤１は、次述の盤本体２と屋根体３を備えて構成される。
【００３３】
Ａ：盤本体２
上記盤本体２は、所定間隔をもって対向する背面壁２１と前面壁２２と、これら背面壁２１と前面壁２２を接続する左右一対の側面壁２３と、底壁２４を備えた上面開口の横長矩形の箱体とされ、上記底壁２４の下側には接地脚２６が備えられている。
【００３４】
この盤本体２においては、その上端面１ａを、上記前面壁２２から上記背面壁２１に向かって次第に上昇傾斜する傾斜面状に形成している。さらに、上記背面壁２１の上端部には、その端縁に開口して該背面壁２１の幅方向の略全幅に亘って延びる所定深さの凹状切欠５が設けられている。また、上記底壁２４には、空気導入用の通気口２５が設けられている。
【００３５】
一方、上記盤本体２の上記背面壁２１における上記凹状切欠５の縁部５ａの直下方位置には、次述の雨水侵入阻止材４が設けられている。この雨水侵入阻止材４は、上記盤本体２の背面壁２１の幅寸法に略合致する幅方向長さをもつ板材を折曲成形して構成される。即ち、上記雨水侵入阻止材４は、上記板材の上縁から略１／３の範囲を手前側に向かって上昇傾斜するように折曲させてこれを第１阻止部４１とし、上記板材の下縁から略１／３の範囲を手前側に向かって僅かに下降傾斜するように折曲させてこれを第２阻止部４２とし、さらにこれら第１阻止部４１と第２阻止部４２の中間に位置する部分はこれを固定部４３としている。
【００３６】
このように折曲形成された上記雨水侵入阻止材４は、図２に示すように、上記第１阻止部４１と固定部４３の稜線を、上記凹状切欠５の縁部５ａから所定寸法だけ下側位置において該縁部に略平行に沿わせた状態で、上記固定部４３を上記背面壁２１に接合固定することで、上記盤本体２側に取付けられている。
【００３７】
Ｂ：屋根体３
上記屋根体３は、上記盤本体２の上面開口をその上側から覆うようにして配置されるものであって、上記盤本体２の前後寸法及び幅寸法より所定寸法だけ大きな矩形平板体で構成される天井壁３１と、該天井壁３１の前縁の幅方向全域から下方へ延出する後縦壁３２と、該天井壁３１の前縁の幅方向全域から下方へ延出する前縦壁３４と、該後縦壁３２と前縦壁３４を接続する左右一対の側縦壁３３を備える。
【００３８】
ここで、上記後縦壁３２の高さ寸法を上記前縦壁３４の高さ寸法より所定寸法だけ大きく設定することで、上記天井壁３１が上記前縦壁３４側から上記後縦壁３２側へ向かうに伴って上昇傾斜するようにしている。具体的には、上記側縦壁３３の下縁に対する上記天井壁３１の傾斜角度が、上記盤本体２の上端面の傾斜角度に略対応するようにしている。
【００３９】
Ｃ：盤本体２と屋根体３の組付け
上記盤本体２の上面開口を覆うように、該盤本体２の上側から上記屋根体３を被せてこれら両者を適宜の接続手段にて固定することで上記屋外盤１が構成される。この屋外盤１においては、図２に示すように、上記盤本体２の傾斜した上端面上に上記屋根体３の天井壁３１が載置された状態となり、該天井壁３１によって上記盤本体２側の上記凹状切欠５の上端が閉塞される。
【００４０】
また、上記屋根体３の後縦壁３２は上記盤本体２の背面壁２１より後方へ所定長さだけ延出しており、該天井壁３１の後端部と上記後縦壁３２と上記盤本体２の背面壁２１の上部の三者で囲まれる内側空間３６内に、上記盤本体２側の上記凹状切欠５及び上記雨水侵入阻止材４の第１阻止部４１がそれぞれ臨んだ状態となっており、該凹状切欠５を通して、上記屋外盤１の盤内空間６と上記内側空間３６が連通している。
【００４１】
さらに、上記雨水侵入阻止材４の第１阻止部４１は、上記屋根体３の後縦壁３２の下端と上記雨水侵入阻止材４の間の空隙部７を通して斜め前下方に臨んでいるが、この第１阻止部４１が存在することで上記凹状切欠５は斜め前下方からは臨めない状態とされている。
【００４２】
Ｄ：作用効果等の説明
以上のように構成したことで、この実施形態の屋外盤１においては、次述するように、その盤内空間６の換気作用と、該盤内空間６内への雨水の侵入阻止作用が両立される。
【００４３】
Ｄ−１：盤内空間６の換気作用、
上記盤内空間６内には、上記盤本体２の底壁２４に設けた通気口２５から外気が導入されるようになっている。
【００４４】
一方、上記盤内空間６の内部は、ここに収納された各種電気部品からの放熱とか、屋外盤１の外壁を通して侵入する太陽熱等を受けて昇温するが、この盤内空間６の内部において発生した熱気は、自然対流によって外部へ排出される。このような上記盤内空間６への新気の導入と該盤内空間６からの熱気の外部への排出によって、該盤内空間６の換気が行なわれる。
【００４５】
この場合、この実施形態の屋外盤１においては、上記屋根体３が、上記盤本体２の前面壁２２から背面壁２１側に向けて上昇傾斜し且つその後端部が上記背面壁２１からさらに後方側へ延出する天井壁３１と該天井壁３１の後端に連続して下方へ延出する後縦壁３２を備える一方、上記背面壁２１の上端部にはその端縁に開口して該背面壁２１の幅方向へ延びる凹状切欠５を設けているので、上記屋根体３の天井壁３１の内面は、上記凹状切欠５を通して、上記盤本体２の内部側から上記後縦壁３２側まで上昇傾斜状態で連続することになる。
【００４６】
この結果、上記屋外盤１内の電気部品からの発熱とか盤外からの吸熱によって昇温した熱気は、自然対流によって上記屋根体３の天井壁３１の内面側へ上昇したのち、図２において流線Ａで示すように、上昇傾斜する上記天井壁３１の内面に沿って上記凹状切欠５側へ移動し、さらにこの凹状切欠５を通って上記後縦壁３２側へ移動し、該屋根体３の内側空間３６側へ排出される。
【００４７】
この場合、熱気の通路となる上記凹状切欠５が上記屋根体３の天井壁３１の内面まで形成されていることから、盤内空間６側から流出する熱気の流れを阻害するということが無く、従って、上記盤内空間６内の熱気は、上記天井壁３１の内面に沿い、且つ上記凹状切欠５を通って、上記内側空間３６側へスムーズに排出されることになる。そして、この内側空間３６に流入した熱気は、該内側空間３６の下側の空隙部７から外部へ排出される。
【００４８】
即ち、この屋外盤１においては、上記屋根体３の天井壁３１を傾斜させることと、上記盤本体２の背面壁２１に上記凹状切欠５を設け、該凹状切欠５を上記天井壁３１の内面まで拡大させるという簡単且つ安価な構成によって高い換気性能を実現することができるものである。
【００４９】
Ｄ−２：雨水侵入阻止作用
この実施形態の屋外盤１では、上記盤本体２の背面壁２１の上端部に、該背面壁２１の略全幅に跨って上記凹状切欠５を開口形成しているので、この大きな開口からの雨水の侵入を的確に阻止し得るようにすることが必要であり、このため、この実施形態では上記盤本体２の背面壁２１に上記雨水侵入阻止材４を設けている。
【００５０】
即ち、上記雨水侵入阻止材４は、その第１阻止部４１が上記凹状切欠５の縁部５ａの直下位置において、ここから斜め上方へ延出するようにして配置したことで、該凹状切欠５は、斜め下方から上記空隙部７を通して臨むことができないようになっている。
【００５１】
このため、例えば、強風で雨水が下方から巻き上げられるようにして直接上記空隙部７側に侵入しても、流線Ｗ１で示すように、この雨水は上記雨水侵入阻止材４の第１阻止部４１に衝突して上記凹状切欠５側への侵入が阻止され、そのまま上記第１阻止部４１から下方へ流下する。
【００５２】
この第１阻止部４１側から流下した雨水は、流線Ｗ２で示すように、上記第２阻止部４２側に移動するが、この場合、該第２阻止部４２が前方へ向かって僅かに下降傾斜しているので、該第２阻止部４２からムーズに排出され、その水捌け性が良好となる。
【００５３】
なお、この実施形態では、上記雨水侵入阻止材４を上記凹状切欠５の縁部に沿って略水平に取付けているが、本願発明の他の実施形態では、例えば、上記雨水侵入阻止材４を左右何れかに僅かに傾斜させて取付けることもでき、係る構成によれば該雨水侵入阻止材４の第２阻止部４２における水捌け性がさらに良好となる。
【００５４】
一方、例えば、強風によって、上記盤本体２の背面壁２１の表面に付着した後、該表面を伝って下方から上記雨水侵入阻止材４側へ迫り上げられる雨水は、流線Ｗ３で示すように、上記第２阻止部４２に達した時点で、それ以上の上昇移動が阻止され、下方へ落下することになる。
【００５５】
これら第１阻止部４１と第２阻止部４２による雨水侵入阻止作用の相乗効果として、上記晩本体２の背面壁２１に大きな開口面積をもつ上記凹状切欠５が形成されているにも拘らず、高い雨水侵入阻止効果が得られるものである。
【００５６】
以上のように、この実施形態の屋外盤１においては、高い換気性能と雨水侵入阻止性能を併せ持つものであり、実用上、極めて有用である。
【図面の簡単な説明】
【００５７】
【図１】本願発明の実施の形態に係る換気構造が適用された屋外盤の分解斜視図である。
【図２】図１のＩＩ−ＩＩ拡大断面図である。
【符号の説明】
【００５８】
１    ・・屋外盤
２    ・・盤本体
３    ・・屋根体
４    ・・雨水侵入阻止材
５    ・・凹状切欠
６    ・・盤内空間
７    ・・空隙部
８    ・・扉
２１    ・・背面壁
２２    ・・前面壁
２３    ・・側面壁
２４    ・・底壁
２５    ・・通気口
２６    ・・接地脚
３１    ・・天井壁
３２    ・・後縦壁
３３    ・・側縦壁
３４    ・・前縦壁
３６    ・・内側空間
４１    ・・第１阻止部
４２    ・・第２阻止部
４３    ・・固定部
【図１】
0004720839.tif 000002
【図２】
0004720839.tif 000003